(57)【要約】【課題】自動実行式コレステリック液晶装置を提供する。【解決手段】マイクロプロセッサー１１は、データ伝送インターフェイス１１１、コレステリック液晶表示装置インターフェイス１１２、及びメモリーインターフェイス１１３と接続してなり、該データ伝送インターフェイス１１１は、主端末２と接続されてなり、コレステリック液晶表示装置１２は、マイクロプロセッサー１１が設けるコレステリック液晶表示装置インターフェイス１１２と接続するとともに、マイクロプロセッサー１１が伝送する情報を表示することが可能であり、メモリー１３は、マイクロプロセッサー１１が設けるメモリーインターフェイス１１３と接続するとともに、アプリケーション領域１３１とデータ領域１３２に分割してなり、該アプリケーション領域１３１は、メモリー１３の情報を読み込む実行プログラムを設けてなることを特徴とする。【選択図】図１
0003125726.tif 000002
【実用新案登録請求の範囲】
【請求項１】
マイクロプロセッサー、コレステリック液晶表示装置、及びメモリーより構成され、
該マイクロプロセッサーは、データ伝送インターフェイス、コレステリック液晶表示装置インターフェイス、及びメモリーインターフェイスと接続してなり、該データ伝送インターフェイスは、主端末と接続されてなり、
該コレステリック液晶表示装置は、マイクロプロセッサーが設けるコレステリック液晶表示装置インターフェイスと接続するとともに、マイクロプロセッサーが伝送する情報を表示することが可能であり、
該メモリーは、マイクロプロセッサーが設けるメモリーインターフェイスと接続するとともに、アプリケーション領域とデータ領域に分割してなり、
該アプリケーション領域は、メモリーの情報を読み込む実行プログラムを設けてなることを特徴とする自動実行式コレステリック液晶装置。
【請求項２】
前記データ伝送インターフェイスは、ＵＳＢ伝送インターフェイス、ＳＡＴＡ伝送インターフェイス、又はＰＣＩとすることが可能であることを特徴とする請求項１記載の自動実行式コレステリック液晶装置。
【請求項３】
前記メモリーは、ＮＡＮＤ型、ＡＮＤ型、若しくはＡＧ−ＡＮＤ型のフラッシュメモリー、ハードディスク、マイクロディスク、又はコンパクトフラッシュ（登録商標）カードとすることが可能であることを特徴とする請求項１に記載の自動実行式コレステリック液晶装置。
【考案の詳細な説明】
【技術分野】
【０００１】
本考案は、主端末が記憶装置に保存されるコレステリック液晶の自動実行プログラムを自動実行可能であるとともに、コレステリック液晶表示装置がメモリーの情報を表示可能であり、また、使用者が自動実行プログラムを利用しコレステリック液晶表示装置の表示内容を更新可能であるとした自動実行式コレステリック液晶装置を提供する。
【背景技術】
【０００２】
電子技術の日進月歩に伴い、電子機器製品は既に広範囲にわたって人々に使用され、例を挙げれば、パソコン、携帯電話、メモリースティック、デジタルカメラ等であり、これらの機器の機能は日ごとに増大し、人々に異なった生活様式をもたらしている。また、この種の電子機器製品は、記憶装置にてデータを保存することを必要とし、フラッシュメモリーは登場以来、低消耗不揮発性、耐震性、高密度記憶等、魅力的な特性を持ち、多くの携帯式電子機器において、徐々にＥＥＰＲＯＭ及びＳＲＡＭに取って代わりつつある。更に、現在、半導体技術が日々向上し、フラッシュメモリーの記憶密度と伝送速度は飛躍的な成長を遂げ、フラッシュメモリーは、多くの応用分野でハードディスクドライブ等の伝統的記憶装置に取って代わることができるのである。
【０００３】
現在フラッシュメモリーを利用した記憶メディアの電子機器は非常に一般的なことであり、使用者はこれらの電子機器を利用しデータを保存時に、電子機器上の電源を起動する必要があり、起動して初めて記憶媒体の容量及び空き容量を知ることができ、使用者は空き容量が十分かどうかを確認後にどの電子機器に保存をするかを決める必要があり、この方式は使用者にとって不便であるとともに、不要な電源の入り切りによる使用寿命の低下及びエネルギー消費を発生させ、更に、新製品が出荷された場合には、消費者等はよく期せずして同じ製品を購入し、同じ製品を持つ人に遭遇し、誤って他人の製品を持ち去ってしまうという不要な誤解及び紛糾が生じており、この他、使用者が電子機器をデスクトップパソコン及びノートブックパソコンに接続して使用時、先に電子機器のドライバーをインストールしておく必要があり、使用者が不注意でドライバーを紛失してしまった場合に、電子機器をデスクトップパソコン及びノートパソコンへ接続することができなくなり、使用者にとって非常に不便である。
【０００４】
さらに、フラッシュメモリー利用し製造されるメモリースティックは、絶え間ない研究改良の後、既にマルチメディアの電子機器の一種としてなり、データを便利に保存、携帯できるだけでなく、ＭＰ３の音楽ファイルも再生でき、更に保存容量も様々であり、百曲の音楽を保存可能なメモリースティックまであり、使用者は場所の制限を受けることなく、いつでもどこでも自由に音楽を聴くことが可能であるが、但し現在、音楽再生の可能なメモリースティックは、再生方式がＣＤの再生方式に類似し、メモリースティックの電源投入後に、直ちに一曲目の音楽が再生され、使用者は前回中断した続きから音楽を聴きたいと思う時に、記憶力に頼り探すか、中断した位置をメモして次回再生時に使用するよりなく、非常に不便である。
【０００５】
また、現在、液晶画面は既に幅広く使用され、科学技術の絶え間なる進歩の下、一歩進んでコレステリック液晶（Ｃｈｏｌｅｓｔｅｒｉｃ  Ｌｉｑｕｉｄ  Ｃｒｙｓｔａｌ）が発展し、主には、「ネマティック液晶」（ｎｅｍａｔｉｃ）を搭載し、「ネマティック液晶」中に「キラル分子」（ｃｈｉｒａｌ  ｍｏｌｅｃｕｌｅ）をドープし、「ネマティック液晶」は各層間で液晶分子の長軸方向が螺旋状に旋転し、この種の構造とコレステロール分子が類似している為、「コレステリック液晶」と称され、コレステリック液晶は、高輝度、ハイコントラスト、省電力で、記憶性があり、広視覚、不揮発性等の長所があり、従来の液晶に比較しその電力消費は５０分の１以下であり、コレステリック液晶にて画像を表示中、液晶模様の変更時に限り電力消耗を必要とし、画像が静止状態にある時は電力を必要とせず、よってコレステリック液晶は電源を切断後も最後に表示した画像の表示を持続することができるのである。
【特許文献１】特開２００２−１４３２５号公報
【考案の開示】
【考案が解決しようとする課題】
【０００６】
上述の公知技術の問題を解決する為、本考案は、メモリーをアプリケーション領域とデータ領域に分割するとともに、アプリケーション領域にはメモリーの情報を読み取る実行プログラムを保存し、例えばコレステリック液晶装置を主端末に接続して使用時、主端末はアプリケーション領域が保存する実行プログラムを自動実行可能であり、使用者はドライバーをインストールする必要がなく、異なる端末上で直ちに利用可能とすることを目的とする。
【０００７】
本考案は、実行プログラムを利用しメモリー内の情報読み出すとともに、その情報をコレステリック液晶表示装置に転送表示し、使用者がコレステリック液晶装置を再度使用する前に、前回最終使用時の情報を取得することが可能とし、コレステリック液晶装置を使用時は、実行プログラムによりメモリーの容量変化を随時コレステリック液晶へ転送し表示させ、使用を便利にすることを目的とする。
【０００８】
本考案は、使用者が実行プログラムを利用しコレステリック液晶表示装置の画面と表示内容を選択することが可能とし、コレステリック液晶表示装置が表示する内容をより多様化、個別化するとともに、使用者が識別する為に利用できるようにすることを目的とする。
【０００９】
さらに、本考案は、コレステリック液晶装置が設けるマイクロプロセッサーを利用しコレステリック液晶表示装置の表示内容を制御し、主端末のマイクロプロセッサーが処理する必要をなくし、主端末のマイクロプロセッサーの資源を浪費、処理効率を低下させることを防止することを目的とする。
【課題を解決するための手段】
【００１０】
上述の目的を達成するため、本考案は、下記の特徴を有する自動実行式コレステリック液晶装置を提供する。
１．請求項１に記載の自動実行式コレステリック液晶装置は、マイクロプロセッサー、コレステリック液晶表示装置、及びメモリーより構成され、該マイクロプロセッサーは、データ伝送インターフェイス、コレステリック液晶表示装置インターフェイス、及びメモリーインターフェイスと接続してなり、該データ伝送インターフェイスは、主端末と接続されてなり、該コレステリック液晶表示装置は、マイクロプロセッサーが設けるコレステリック液晶表示装置インターフェイスと接続するとともに、マイクロプロセッサーが伝送する情報を表示することが可能であり、該メモリーは、マイクロプロセッサーが設けるメモリーインターフェイスと接続するとともに、アプリケーション領域とデータ領域に分割してなり、該アプリケーション領域は、メモリーの情報を読み込む実行プログラムを設けてなることを特徴とする。
２．請求項２に記載の自動実行式コレステリック液晶装置は、請求項１の場合において、前記データ伝送インターフェイスは、ＵＳＢ伝送インターフェイス、ＳＡＴＡ伝送インターフェイス、又はＰＣＩとすることが可能であることを特徴とする。
３．請求項３に記載の自動実行式コレステリック液晶装置は、請求項１の場合において、前記メモリーは、ＮＡＮＤ型、ＡＮＤ型、若しくはＡＧ−ＡＮＤ型のフラッシュメモリー、ハードディスク、マイクロディスク、又はコンパクトフラッシュ（登録商標）カードとすることが可能であることを特徴とする。
【考案の効果】
【００１１】
１．本考案は、メモリー１３をアプリケーション領域１３１とデータ領域１３２に分割し、アプリケーション領域１３１はメモリー１３の情報を読み込む実行プログラムを設けてなり、例えばコレステリック液晶装置１が主端末２と接続時、主端末２はメモリー１３のアプリケーション領域１３１が設ける実行プログラムを自動実行可能であり、使用者はドライバをインストールする必要なく異なる端末上で即座に使用が可能である。
２．本考案は、実行プログラムを利用しメモリー１３のデータを読み込むとともに、マイクロプロセッサー１１をによりコレステリック液晶表示装置１２へ表示し、使用者はコレステリック液晶装置１を再度使用する前に、最終使用時の情報を取得することが可能である。
３．本考案は、実行プログラムを通してメモリー１３のデータ領域の容量変化を計算するとともに、マイクロプロセッサー１１はコレステリック液晶表示装置１２の表示情報を更新し、使用者はコレステリック液晶装置１のデータ領域１３２の容量変化を正確に知ることが可能である。
４．本考案は、使用者が実行プログラムを操作し使用者が必要なデータを伝送可能であり、マイクロプロセッサー１１はコレステリック液晶表示装置１２上へ表示し、コレステリック液晶表示装置１２がコレステリック液晶装置１が内蔵するラベルとなり、コレステリック液晶表示装置１２の表示内容は多様化、個別化してなり、使用者が識別に利用することが可能である。
５．本考案は、コレステリック液晶表示装置１２を利用し表示装置とし、必要とする電力は従来の液晶画面より少なく、コレステリック液晶表示装置１２は電力消耗も減少でき、使用コストを低下させることが可能である。
６．本考案は、コレステリック液晶装置１が設けるマイクロプロセッサー１１を利用しコレステリック液晶表示装置１２の表示内容を操作し、主端末２のマイクロプロセッサーによる処理を必要とせず、主端末２のマイクロプロセッサーの資源浪費及び処理効率の低下を防ぐことが可能である。
【考案を実施するための最良の形態】
【００１２】
上述の目的及び効果を達成する為、本考案が採用する目的、技術構造の特徴及びその効果を、以下、図に示す実施例に従い其の特徴を詳細に説明する。
本考案の工程図である図１に示すように、自動実行式コレステリック液晶装置１はマイクロプロセッサー１１、コレステリック液晶表示装置１２及びメモリー１３より構成される。
【００１３】
該マイクロプロセッサー１１はデータ伝送インターフェイス１１１、コレステリック液晶表示装置インターフェイス１１２及びメモリーインターフェイス１１３と接続し、データ伝送インターフェイス１１１は主端末２と接続し、マイクロプロセッサー１１２は８０５１、ＤＳＰ（Ｄｉｇｉｔａｌ  Ｓｉｇｎａｌ  Ｐｒｏｃｅｓｓｉｎｇ）及びＡＲＭ仕様のマイクロプロセッサーにてなることが可能である。
【００１４】
該コレステリック液晶表示装置１２は、マイクロプロセッサー１１が設けるコレステリック液晶表示装置インターフェイス１１２を接続し、コレステリック液晶表示装置１１２は、ドットマトリックス及びセブンセグメント表示装置にてなることが可能であり、マイクロプロセッサーが転送する情報を表示可能である。
【００１５】
該メモリー１３はマイクロプロセッサー１１が設けるメモリー伝送インターフェイス１１３と接続し、メモリー１３はアプリケーション領域１３１とデータ領域１３２に分割され、アプリケーション領域１３１はメモリー１３の情報を読み取る実行プログラムを設けてなり、メモリー１３はＮＡＮＤ、ＡＮＤ及びＡＧ−ＡＮＤ型フラッシュメモリーにてなることができ、更にハードディスク、マイクロディスク、及びコンパクトフラッシュ（登録商標）カードにてなることができ、アプリケーション領域１３１はＩＳＯ９６６０規格に準拠し、又データ領域１３２はＦＡＴ（Ｆｉｌｅ  Ａｌｌｏｃａｔｉｏｎ  Ｔａｂｌｅ）形式及びＮＴＦＳ（ＮＴ  Ｆｉｌｅ  Ｓｙｓｔｅｍ）形式にてなることが可能である。
【００１６】
但し、上記に説明したメモリー１３は実行プログラムの保存及び使用者のデータ保存用に利用されるものであり、本考案の範囲を上記に限定するものではなく、類似の型態も本考案の範囲とする。
【００１７】
図２の初期化動作フロー図に示すように、初期化時は、以下のステップを実行する。
（１００）コレステリック液晶装置１を主端末２に接続
（１０１）マイクロプロセッサー１１はアプリケーション領域１３１のデータを主端末２へ転送
（１０２）主端末２はアプリケーション領域１３１の割り当てを実施
（１０３）マイクロプロセッサー１１はデータ領域１３２のデータを主端末２へ転送
（１０４）主端末２はデータ領域１３２の割り当てを実施
（１０５）使用者はコレステリック液晶装置１の操作及び使用を開始
【００１８】
例えば、コレステリック液晶装置１がデータ伝送インターフェイス１１１を通して主端末２と接続時、該コレステリック液晶は、マイクロプロセッサー１１を利用しアプリケーション領域１３１のデータを主端末２へ転送し、主端末２はアプリケーション領域１３１の領域を割り当て、マイクロプロセッサー１１がデータ領域１３２データを主端末２へ転送し、主端末２はデータ領域１３２の領域を割り当て、主端末２がアプリケーション領域とデータ領域の割り当てを完了した後に、使用者はコレステリック液晶装置１の操作及び使用し、メモリー１３へアクセスを開始することが可能となる。
【００１９】
上記説明中の主端末２はパソコン、ノートパソコン及びＰＤＡ（Ｐｅｒｓｏｎａｌ  Ｄｉｇｉｔａｌ  Ａｓｓｉｓｔａｎｔ）にてなることができ、コレステリック液晶装置１はメモリースティック及びＭＰ３プレーヤーにてなることができ、更にデータ伝送インターフェイス１１１は、ＵＳＢ（Ｕｎｉｖｅｒｓａｌ  Ｓｅｒｉａｌ  Ｂｕｓ）、ＳＡＴＡ（Ｓｅｒｉａｌ  Ａｄｖａｎｃｅｄ  Ｔｅｃｈｎｏｌｏｇｙ  Ａｔｔａｃｈｍｅｎｔ）及びＰＣＩ（Ｐｅｒｉｐｈｅｒａｌ  Ｃｏｍｐｏｎｅｎｔ  Ｉｎｔｅｒｃｏｎｎｅｃｔ）にてなることができ、コレステリック液晶表示装置インターフェイス１１２はパラレルプロトコルインターフェイス及びシリアルプロトコルインターフェイスにてなることができ、メモリーインターフェイス１１３は、ＮＡＮＤ型フラッシュメモリーインターフェイス、ＳＡＴＡ伝送インターフェイス及びコンパクトフラッシュ（登録商標）カードインターフェイスにてなることが可能であるが、本考案の範囲を上記に限定するものではなく、類似の型態も本考案の範囲とする。
【００２０】
使用者がコレステリック液晶装置１を利用しＭＰ３の音楽を再生する時、コレステリック液晶表示装置１２は実行プログラムが取得する情報を通して、再生する曲の情報を表示でき、使用者が次回再生時に、検索が便利であり、更にコレステリック液晶表示装置１２の表示情報により、コレステリック液晶装置１が他人に使用されていないかを知ることができる。
【００２１】
コレステリック液晶装置１がデータ伝送インターフェイス１１１を通じて再度主端末２に接続時、使用者は主端末２を操作しマイクロプロセッサー１１が設けるメモリーインターフェイス１１３を通して、メモリー１３のデータ領域１３２に対しデータの読み書きを実行でき、コレステリック液晶装置１は主端末２に対し自動再生（Ａｕｔｏ  Ｒｕｎ）の機能を宣告し、主端末２はメモリー１３のアプリケーション領域１３１が保存する実行プログラムを自動実行することができ、更に実行プログラムを利用し情報の読み込みを命令し、コレステリック液晶装置１の現在の状態（分割表等）を読み込み、実行プログラムがメモリー１３のデータ領域１３２のラベル、総容量、使用容量、及び最終使用日時を取得するとともに、マイクロプロセッサー１１によりコレステリック液晶表示装置１２へ出力可能とし、使用者が現在のコレステリック液晶装置１の状態を正確に知ることができ、更にコレステリック液晶表示装置１２は電源を切断後も最終表示画面の表示を持続可能である為、使用者がコレステリック液晶装置１を使用しない時も、コレステリック液晶装置は最終画面を表示し、使用者が再度使用する前に、最終使用日時、ディスクラベル、総容量、使用容量を知ることができ、便利に使用することが可能である。
【００２２】
さらに、使用者はコレステリック液晶装置１を使用時、メモリー１３のデータ領域１３２の容量は、使用者の使用に従い容量が変化するとともに、マイクロプロセッサー１１はコレステリック液晶表示装置１２が表示する情報を更新し、使用者がコレステリック液晶装置１のデータ領域１３２の容量変化を詳細に分かるようにし、更にコレステリック液晶表示装置１２は従来の液晶に比べ必要電力が少なく、コレステリック液晶表示装置１２はエネルギー消耗も減少し、使用コストを低下させ、コレステリック液晶１はマイクロプロセッサー１１を通してコレステリック液晶表示装置１２の表示内容を制御し、主端末２のマイクロプロセッサーによる処理を必要とせず、主端末２のマイクロプロセッサーの処理資源の浪費及び処理効率の低下を防ぐことが可能である。
【００２３】
図３のメモリー容量の計算動作フロー図に示すように、メモリーの容量を計算時は以下のようにステップを実行する。
（２００）コレステリック液晶装置１を主端末２に接続
（２０１）主端末２はメモリー１３のプログラム領域が保存する実行プログラムを自動実行
（２０２）使用者は主端末２を操作しメモリー１３のデータ領域１３２に対しデータの伝送を実施可能
（２０３）主端末２は実行プログラムを利用しメモリー１３のデータ領域１３２の容量変化を計算
（２０４）マイクロプロセッサー１１はコレステリック液晶表示装置１２をコントールし表示情報を更新
（２０５）マイクロプロセッサー１１はデータ伝送の終了を確認、終了時はステップ２０６へ、終了時は２０２へ進行
（２０６）完成
【００２４】
使用者は主端末２の入力装置を通して実行プログラムを操作し、使用者が必要なデータ（例：使用者氏名、図形、文字等）を入力するとともに、マイクロプロセッサー１１を利用しコレステリック液晶表示装置１２上へ表示し、コレステリック液晶表示装置１２はコレステリック液晶１が内蔵するラベルとなり、コレステリック液晶１の使用者が誰であるかを正確に判別できるようにし、誤って他人のコレステリック液晶装置１を持ち去ってしまうという状況を防止する。実行プログラムは設計者及び使用者がダウンロードする画像や動画をコレステリック液晶装置１が待ち受け（スリープ状態）時、コレステリック液晶表示装置１２上へ表示でき、使用者に待ち受け状態であることを通知するとともに、消費者の購買意欲を向上させることができる。
【００２５】
図４の表示変更の動作フロー図に示すように、使用者がコレステリック液晶表示装置１２の表示を変更しようとする時、以下のようなステップを実行する。
（３００）コレステリック液晶装置１を主端末２に接続
（３０１）コレステリック液晶表示装置１２のメニューを表示
（３０２）マイクロプロセッサー１１は終了を判断、終了時はステップ３０６へ、未終了時は、ステップ３０３へ進行
（３０３）マイクロプロセッサー１１は使用者が主端末２を通して実行プログラムの操作があるかを確認、操作がある場合は、ステップ３０４へ、無い場合は、ステップ３０２へ進行
（３０４）使用者は主端末２を通して実行プログラムを操作し必要なデータを伝送
（３０５）マイクロプロセッサー１１はコレステリック液晶表示装置１２を操作し使用者が必要なデータを表示
（３０６）終了
【００２６】
本考案では好ましい実施例を前述の通り開示したが、これらは決して本考案に限定するものではなく、当該技術を熟知する者なら誰でも、本考案の精神と領域を脱しない範囲内で各種の変更を加えることができ、従って、本考案の保護範囲は、実用新案請求の範囲で指定した内容を基準とする。
【図面の簡単な説明】
【００２７】
【図１】本考案の工程図である。
【図２】本考案の初期化のフロー図である。
【図３】本考案のメモリー容量計算のフロー図である。
【図４】本考案の表示変更のフロー図である。
【符号の説明】
【００２８】
１      コレステリック液晶装置
１１    マイクロプロセッサー
１１１  データ伝送インターフェイス
１１２  コレステリック液晶表示装置インターフェイス  
１１３  メモリーインターフェイス
１２    コレステリック液晶表示装置
１３    メモリー
１３１  アプリケーション領域
１３２  データ領域                                                  
２      主端末
１００  コレステリック液晶装置を主端末に接続
１０１  マイクロプロセッサーはアプリケーション領域のデータを主端末へ転送
１０２  主端末はプログラム領域の割り当てを実施
１０３  マイクロプロセッサーはデータ領域のデータを主端末へ転送
１０４  主端末はデータ領域の割り当てを実施
１０５  使用者はコレステリック液晶装置の操作及び使用を開始
２００  コレステリック液晶装置を主端末に接続
２０１  主端末はメモリーのプログラム領域が保存する実行プログラムを自動実行
２０２  使用者は主端末を操作しメモリーのデータ領域に対しデータの伝送を実施可能
２０３  主端末は実行プログラムを利用しメモリーのデータ領域の容量変化を計算
２０４  マイクロプロセッサーはコレステリック液晶表示装置をコントールし表示情報を更新
２０５  マイクロプロセッサーはデータ伝送の完了を確認
２０６  完成
３００  コレステリック液晶装置を主端末に接続
３０１  コレステリック液晶表示装置のメニューを表示
３０２  マイクロプロセッサーは終了を判断
３０３  マイクロプロセッサーは使用者が主端末を通して実行プログラムの操作があるかを確認
３０４  使用者は主端末を通して実行プログラムを操作し必要なデータを伝送
３０５  マイクロプロセッサーはコレステリック液晶表示装置をコントロールし使用者が必要なデータを表示
３０６  終了
【図１】
0003125726.tif 000003
【図２】
0003125726.tif 000004
【図３】
0003125726.tif 000005
【図４】
0003125726.tif 000006